(57)【要約】【課題】  本発明は、チャタリングによる誤検知を防止するシート検知装置を提供する。【解決手段】  シートＳが当接して回動するセンサレバー101と、該センサレバー101の回動を検知するフォトインタラプタ104と、該センサレバー101を回動可能に支持する支持部材102と、該支持部材102に設けられ、該センサレバー101に当接して該センサレバー101のホームポジションを規定するストッパ102ａと、該センサレバー101をシートＳが通過した後、復元力により該センサレバー101をホームポジションに復帰させるシート検知装置100において、該センサレバー101に振り子部材105を備えたことを特徴とする。【選択図】      図２
2017007793.tif 000002
【特許請求の範囲】
【請求項１】
シートが当接して回動するセンサレバーと、
前記センサレバーの回動を検知する検知手段と、
前記センサレバーを回動可能に支持する支持部材と、
前記支持部材に設けられ、前記センサレバーに当接して該センサレバーのホームポジションを規定するストッパと、
前記センサレバーをシートが通過した後、復元力により前記センサレバーを前記ホームポジションに復帰させるシート検知装置において、
前記センサレバーに動吸振器を備えたことを特徴とするシート検知装置。
【請求項２】
前記動吸振器は、前記センサレバーと一体的に回動可能に支持された振り子部材を有して構成したことを特徴とする請求項１に記載のシート検知装置。
【請求項３】
前記動吸振器は、
前記センサレバーと一体的に回動可能に設けられたガイド部と、
前記ガイド部に沿って移動可能に支持された錘と、
を有して構成されたことを特徴とする請求項１に記載のシート検知装置。
【請求項４】
前記動吸振器は、
前記センサレバーと一体的に回動可能に設けられた弾性部材と、
前記弾性部材に支持された錘と、
を有して構成されたことを特徴とする請求項１に記載のシート検知装置。
【請求項５】
前記センサレバーと、前記弾性部材とは、弾性を有する回動軸に固定されると共に、前記回動軸に固定される前記弾性部材の固定位置が、前記センサレバーの回動軸方向において、該センサレバーが前記ストッパに当接する位置とは異なる位置に配置され、
前記復元力により前記センサレバーを前記ホームポジションに復帰させる際に該センサレバーが前記ストッパに衝突した際の反動により生じる前記弾性部材と前記錘の振動により前記回動軸が周方向に捻じれることを特徴とする請求項４に記載のシート検知装置。
【請求項６】
少なくとも前記センサレバーと、前記弾性部材と、前記錘とが一体成形されたことを特徴とする請求項４または請求項５に記載のシート検知装置。
【請求項７】
請求項１〜６のいずれか１項に記載のシート検知装置と、
前記シートに画像を形成する画像形成手段と、
を有することを特徴とする画像形成装置。
【請求項８】
請求項１〜６のいずれか１項に記載のシート検知装置と、
前記シートに形成された画像を読み取る画像読取手段と、
を有することを特徴とする画像読取装置。
【発明の詳細な説明】
【技術分野】
【０００１】
本発明は複写機、プリンタ等の画像形成装置、或いは、ファクシミリ装置等の画像読取装置等に用いられるシート検知装置に関する。
【背景技術】
【０００２】
一般に複写機、プリンタ、ファクシミリ装置等の画像形成装置において、記録媒体としてシートを搬送する際に、該シートの通過タイミングを検知するシート検知装置が備えられている。画像形成装置において、シート検知装置はシート通過タイミングを検知して、ジャム、重送等を検知する。
【０００３】
一般に、このようなシート検知装置は回動可能なセンサレバーとフォトインタラプタ等の光学センサとで構成される。センサレバーはシートに当接する方向に付勢され、シートの通過によって押し倒されて回動する。センサレバーの回動と一体的に遮光フラグが回動してフォトインタラプタの発光部と受光部との光路を遮光したり、遮光を開放したりしてセンサレバーを通過するシートの通過タイミングを検知している。このようなシート検知装置に関する技術は、例えば特許文献１に記載されている。
【先行技術文献】
【特許文献】
【０００４】
【特許文献１】特開２００８−１５０１４９号公報
【発明の概要】
【発明が解決しようとする課題】
【０００５】
しかしながら、従来のシート検知装置では次のような課題があった。シート通過後にセンサレバーがホームポジション（待機位置）に戻る際に、センサレバーのホームポジション（待機位置）を規定するストッパと衝突し跳ね返ることがある。その際にセンサレバーがフォトインタラプタの検知領域を数回横切ってしまうことがあり、フォトインタラプタからの検知信号にオン／オフを繰り返す現象（以下、「チャタリング」という）が発生する場合がある。
【０００６】
特に連続して複数のシートを搬送する場合、チャタリングが収まる前に次のシートの先端部がセンサレバーに到達してしまうと、次のシートの先端部を正しく検知できない。そのため、従来はチャタリングが収まる時間を見越してシートの搬送速度やシート間距離を設定する必要があり、装置の高速化に限界があった。
【０００７】
本発明は前記課題を解決するものであり、その目的とするところは、チャタリングによる誤検知を防止するシート検知装置を提供するものである。
【課題を解決するための手段】
【０００８】
前記目的を達成するための本発明に係るシート検知装置の代表的な構成は、シートが当接して回動するセンサレバーと、前記センサレバーの回動を検知する検知手段と、前記センサレバーを回動可能に支持する支持部材と、前記支持部材に設けられ、前記センサレバーに当接して該センサレバーのホームポジションを規定するストッパと、前記センサレバーをシートが通過した後、復元力により前記センサレバーを前記ホームポジションに復帰させるシート検知装置において、前記センサレバーに動吸振器を備えたことを特徴とする。
【発明の効果】
【０００９】
本発明によれば、センサレバーがホームポジションに戻った際に該センサレバーのホームポジションを規制するストッパと衝突して跳ね返えろうとしても動吸振器により振動を抑制してチャタリングによる誤検知を防止する。
【図面の簡単な説明】
【００１０】
【図１】本発明に係るシート検知装置を備えた画像形成装置の構成を示す断面説明図である。
【図２】第１実施形態におけるシート検知装置の構成を示す斜視説明図である。
【図３】（ａ）〜（ｄ）は第１実施形態におけるシート検知装置の捩りコイルバネ部を図２の矢印Ａ方向から見た断面説明図である。
【図４】第２実施形態におけるシート検知装置の構成を示す斜視説明図である。
【図５】（ａ）〜（ｄ）は第２実施形態におけるシート検知装置の捩りコイルバネ部を図４の矢印Ｂ方向から見た断面説明図である。
【図６】（ａ）は第３実施形態におけるシート検知装置の構成を示す斜視説明図である。（ｂ）は第３実施形態におけるシート検知装置の捩りコイルバネ部を図６（ａ）の矢印Ｃ方向から見た断面説明図である。
【図７】（ａ）は第４実施形態におけるシート検知装置の構成を示す斜視説明図である。（ｂ）は第４実施形態におけるシート検知装置の捩りコイルバネ部を図７（ａ）の矢印Ｄ方向から見た平面説明図である。
【図８】本発明に係るシート検知装置を備えた画像読取装置の構成を示す断面説明図である。
【発明を実施するための形態】
【００１１】
図により本発明に係るシート検知装置を備えた画像形成装置、並びに、本発明に係るシート検知装置を備えた画像読取装置の一実施形態を具体的に説明する。ただし、以下の各実施形態に記載されている構成部品の寸法、材質、形状、その相対配置等は、特に特定的な記載がない限りは、この発明の範囲をそれらのみに限定する趣旨のものではない。また、本発明に係るシート検知装置は、レーザープリンタにのみ限定するものではなく、複写機、ファクシミリ装置等、他の画像形成装置や画像読取装置に適応しても良い。
【実施例１】
【００１２】
先ず、図１〜図３を用いて本発明に係るシート検知装置を備えた画像形成装置の第１実施形態の構成について説明する。図１は本発明に係るシート検知装置を備えた画像形成装置の一例として電子写真方式のレーザープリンタに適用した場合の一例を示す。
【００１３】
＜画像形成装置＞
図１はレーザープリンタからなる画像形成装置10の構成を示す断面説明図である。画像形成装置10は、シートＳを収納する給送カセット40を備えている。また、画像形成装置10は、給送カセット40に収容されたシートＳを搬送するための搬送路１を有する。更に、搬送路１を搬送されるシートＳにトナー像（画像）を形成する画像形成部（画像形成手段）を構成するプロセスカートリッジ15を有する。更に、画像形成部によりシートＳ上に形成されたトナー像を加熱定着する定着手段となる定着装置17とを備えている。
【００１４】
シート分離部11は、給送カセット40に収納されたシートＳを該シート分離部11の給送ローラ30及び分離ローラ31により一枚ずつ分離給送する。シート分離部11により一枚ずつ分離給送されたシートＳは、搬送ローラ12及びレジストローラ13を経由して搬送される。その後、画像形成部を構成するプロセスカートリッジ15に設けられた像担持体となる感光ドラム15ａと、転写手段となる転写ローラ16との転写ニップ部に給送される。
【００１５】
搬送ローラ12により挟持搬送されるシートＳの先端部は、一旦、停止されたレジストローラ13のニップ部に当接し、該シートＳの腰の強さにより扱（しご）かれて該レジストローラ13のニップ部に沿ってシートＳの斜行が矯正される。
【００１６】
画像形成部は、像露光手段となるレーザスキャナ14と、プロセスカートリッジ15と、転写ローラ16とを備える。プロセスカートリッジ15は、感光ドラム15ａと、図示しない帯電装置（帯電手段）と、現像装置（現像手段）と、を備える。
【００１７】
感光ドラム15ａは、帯電極性が負極性の感光層を表面に形成した金属製の円筒で構成されている。帯電装置は、像担持体となる感光ドラム15ａの表面を均一に帯電する。レーザスキャナ14は、帯電装置により一様に帯電された感光ドラム15ａの表面上に画像情報に応じたレーザ光14ａを照射して静電潜像を形成する。
【００１８】
現像装置は、感光ドラム15ａの表面上に形成された静電潜像にトナーを付着させてトナー像として顕像化する。一方、レジストローラ13により所定のタイミングで挟持搬送されるシートＳは、感光ドラム15ａと転写ローラ16との転写ニップ部に搬送される。そして、該感光ドラム15ａと転写ローラ16とにより挟持搬送される間に該転写ローラ16に転写バイアス電圧が印加されて感光ドラム15ａの表面上のトナー像がシートＳに転写される。
【００１９】
定着装置17は、加圧ローラ17ａと、ヒータを内蔵した定着ローラ17ｂと、を備える。定着装置17は、加圧ローラ17ａと、定着ローラ17ｂとの定着ニップ部を通過するシートＳを加熱及び加圧して該シートＳの表面上に転写されたトナー像を該シートＳに定着する。
【００２０】
トナー像が定着されたシートＳは搬送ローラ18により挟持搬送されて排出ローラ19に送られ、更に、該排出ローラ19により挟持搬送されて排出トレイ20上に排出される。
【００２１】
＜シート検知装置＞
図１に示す搬送路１において、レジストローラ13の近傍下流側と、定着装置17の近傍下流側には、それぞれシート検知装置100が設けられている。搬送路１をシートＳが搬送される際に各シート検知装置100によってシートＳの通過タイミングを検知してシートＳのジャム（詰まり）や重送といった搬送不良を検知する。
【００２２】
次に図２及び図３を用いて本実施形態のシート検知装置100の構成について説明する。図２は本実施形態のシート検知装置100の構成を示す斜視説明図である。図３（ａ）〜（ｄ）は図２の矢印Ａ方向から見た断面説明図であり、シート検知装置100の検知動作を示す。
【００２３】
図３（ａ）は、シート検知装置100の待機状態を示す。図３（ｂ）はシート検知装置100をシートＳが通過中の状態を示す。図３（ｃ）はシート検知装置100をシートＳが通過した後、ホームポジション（待機位置）に戻った直後の状態を示す。図３（ｄ）は図３（ｃ）の状態から一定時間が経過した後の状態を示す。
【００２４】
先ず、図２及び図３を用いて本実施形態のシート検知装置100の構成について説明する。図２及び図３に示すように、本実施形態のシート検知装置100は、シートＳが当接して回動軸101ａを中心に回動するセンサレバー101を有する。更に、センサレバー101が設けられた回動軸101ａを回動可能に支持する支持部材102を有する。
【００２５】
更に、シート検知装置100は、センサレバー101をシートＳが通過した後、復元力により該センサレバー101を図３（ａ）に示すホームポジションに復帰させる付勢手段となる捩りコイルバネ103を有する。更に、回動軸101ａに設けられてセンサレバー101と一体的に回動する遮光フラグ101ｈにより光路が遮断、或いは遮断が開放されて該センサレバー101の回動を検知する検知手段となるフォトインタラプタ104を有する。
【００２６】
更に、シート検知装置100は、センサレバー101に一体的に設けられたアーム部101ｃを有する。該アーム部101ｃの先端部には、回動軸101ｂを中心に回動自在に設けられ、且つ所定の重量を有する動吸振器となる振り子部材105が設けられる。振り子部材105は、アーム部101ｃを介してセンサレバー101と一体的に回動可能に支持される。
【００２７】
本実施形態では、図２及び図３に示すように、先端部に振り子部材105が回動自在に設けられたアーム部101ｃが設けられる。そして、アーム部101ｃの配置位置と、センサレバー101の当接部101ｄが当接する支持部材102に設けられたストッパ102ａの配置位置とは以下の通りである。センサレバー101の回動軸101ａに沿った方向（図２の左右方向）において略一致した位置に配置される。
【００２８】
センサレバー101は、支持部材102に設けられた軸受部102ｂ，102ｃ，102ｄ，102ｅ等により回転可能に軸支された回動軸101ａを中心に該回動軸101ａと一体的に回動可能に支持されている。また、センサレバー101は、回動軸101ａの外周に摺動自在に嵌装された捩りコイルバネ103の付勢力により該回動軸101ａを中心に図２の矢印＋Ｒ方向に付勢されている。
【００２９】
回動軸101ａの外周に摺動自在に嵌装された捩りコイルバネ103の一端部103ａは、センサレバー101の係止部101ｉに係止されており、該捩りコイルバネ103の他端部は、支持部材102に係止されている。
【００３０】
捩りコイルバネ103の付勢力により該回動軸101ａを中心に図２の矢印＋Ｒ方向に付勢されるセンサレバー101の当接部101ｄは、図３（ａ）に示すように、支持部材102に設けられたストッパ102ａに当接する。これによりセンサレバー101の図３（ａ）の矢印＋Ｒ方向の回動が規制され、図３（ａ）に示すセンサレバー101のホームポジションが規定される。
【００３１】
遮光フラグ101ｈは回動軸101ａを中心に該回動軸101ａと一体的に回動可能に支持されている。図３（ｂ）に示すように、シートＳがセンサレバー101に当接して該センサレバー101を捩りコイルバネ103の付勢力に抗して回動軸101ａを中心に図３（ｂ）の矢印−Ｒ方向に回動させる。
【００３２】
すると、該回動軸101ａと一体的に回動する遮光フラグ101ｈがフォトインタラプタ104の発光部104ａと受光部104ｂとの間の光路を遮光する。フォトインタラプタ104の検知情報は、制御部２に伝送されてシートＳの進入が検知される。
【００３３】
振り子部材105は、センサレバー101に設けられたアーム部101ｃの先端部に設けられた回動軸101ｂを中心に回動自在に支持されている。本実施形態の振り子部材105は、チャタリングによる誤検知を防止する動吸振器として作用する。
【００３４】
＜シート検知装置の検知動作＞
次に図３（ａ）〜（ｄ）を用いてシート検知装置100によるシートＳの検知動作について説明する。図３（ａ）に示す待機状態において、回動軸101ａに嵌装された捩りコイルバネ103の付勢力により該回動軸101ａを中心に図３（ａ）の矢印＋Ｒ方向に付勢されるセンサレバー101は以下の通りである。当接部101ｄが支持部材102に設けられたストッパ102ａに当接して静止している。
【００３５】
図３（ａ）に示す待機状態において、捩りコイルバネ103はセンサレバー101に付勢力を与えている。これによりセンサレバー101のアーム部101ｃの先端部に設けられた回動軸101ｂを中心に回動自在に支持された振り子部材105の姿勢に関わらずセンサレバー101が静止する。
【００３６】
図１のレジストローラ13、或いは、定着装置17の加圧ローラ17ａと定着ローラ17ｂとにより挟持されて搬送路１上を図２の矢印Ｘ方向にシートＳが搬送される。そして、図３（ｂ）に示すように、該シートＳがシート検知装置100に設けられたセンサレバー101に当接する。すると、センサレバー101は、捩りコイルバネ103の付勢力に抗してシートＳに追従して回動軸101ａを中心に図３（ｂ）の矢印−Ｒ方向に回動し始める。
【００３７】
このとき、センサレバー101のアーム部101ｃの先端部に設けられた回動軸101ｂを中心に回動自在に軸支された振り子部材105は、該振り子部材105の自重によりセンサレバー101に対して相対的に図３（ｂ）の矢印＋ｒ方向に回動する。
【００３８】
センサレバー101が回動軸101ａを中心に図３（ｂ）の矢印−Ｒ方向に回動する。すると、回動軸101ａはセンサレバー101と一体的に回転し、該回動軸101ａに設けられた遮光フラグ101ｈも該回動軸101ａを介してセンサレバー101と一体的に該回動軸101ａを中心に図３（ｂ）の矢印−Ｒ方向に回動する。そして、遮光フラグ101ｈがフォトインタラプタ104の発光部104ａと受光部104ｂとの間の光路を遮断することで制御手段となる制御部２はシートＳが進入したことを検知する。
【００３９】
図３（ｃ）に示すように、センサレバー101をシートＳが通過した後は、該センサレバー101は、捩りコイルバネ103の付勢力により図３（ｃ）の矢印＋Ｒ方向に回動する。
【００４０】
回動軸101ａはセンサレバー101と一体的に回転し、該回動軸101ａに設けられた遮光フラグ101ｈも該回動軸101ａを介してセンサレバー101と一体的に該回動軸101ａを中心に図３（ｃ）の矢印＋Ｒ方向に回動する。そして、遮光フラグ101ｈがフォトインタラプタ104の発光部104ａと受光部104ｂとの間の光路の遮断を開放することで制御手段となる制御部２はシートＳが通過したことを検知する。
【００４１】
図３（ｃ）に示すように、シートＳがセンサレバー101を通過して該センサレバー101が捩りコイルバネ103の付勢力により図３（ｃ）の矢印＋Ｒ方向に回動する。図３（ｃ）は、該センサレバー101の当接部101ｄが支持部材102に設けられたストッパ102ａに衝突する瞬間を示している。このとき、振り子部材105は、自重による慣性により図３（ａ）に示す待機状態と比べて、回動軸101ｂを中心にして僅かに図３（ｃ）の矢印＋ｒ方向に回動した状態となる。
【００４２】
ここで、図３（ｃ）に示すセンサレバー101の回動軸101ａの中心101ａ1から振り子部材105の重心105ｇまでの距離Ｌ１を考慮する。更に、センサレバー101の回動軸101ａの中心101ａ1から振り子部材105の回動軸101ｂの中心101ｂ1までの距離Ｌ２を考慮する。そして、前記距離Ｌ１，Ｌ２の関係が｛Ｌ１＞Ｌ２｝となるように設定する。
【００４３】
すると、図３（ｃ）に示すように、シートＳがセンサレバー101を通過して該センサレバー101が捩りコイルバネ103の付勢力により図３（ｃ）の矢印＋Ｒ方向に回動する。そして、該センサレバー101の当接部101ｄが支持部材102に設けられたストッパ102ａに衝突する。その後、振り子部材105は、自重による慣性により回動軸101ｂを中心に図３（ｃ）の矢印＋ｒ方向に回動して図３（ｄ）に示す状態となる。
【００４４】
振り子部材105が自重による慣性によりセンサレバー101のアーム部101ｃの先端部に設けられた回動軸101ｂを中心に図３（ｃ）に示す状態から図３（ｄ）に示す状態へと回動する。このとき、センサレバー101のアーム部101ｃに設けられた回動軸101ｂには、該センサレバー101を回動軸101ａを中心に図３（ｄ）の矢印＋Ｒ方向へ回動させようとする力が働く。
【００４５】
この力は、センサレバー101の当接部101ｄが支持部材102に設けられたストッパ102ａから受ける反発力を打ち消すように働く。このためセンサレバー101の跳ね返りを抑制でき、その結果、チャタリング (chattering) を低減することができる。尚、チャタリングとは、可動接点等が接触状態になる際に微細な非常に速い機械的振動を起こすことによりオン／オフの接点が切り替わる際にオン／オフが細かく繰り返される現象のことである。
【００４６】
尚、本実施形態においては、支持部材102に設けられた回動軸101ａに嵌装された捩りコイルバネ103によりセンサレバー101を図３（ａ）の矢印＋Ｒ方向へ付勢する付勢力を与えた。他に、センサレバー101の自重により該センサレバー101を図３（ａ）の矢印＋Ｒ方向へ付勢することでも良い。
【００４７】
本実施形態によれば、センサレバー101が振り子部材105（動吸振器）を備えている。このため該センサレバー101が図３（ｄ）に示すように、ホームポジションに戻った際に該センサレバー101のホームポジションを規制するストッパ102ａと衝突して跳ね返えろうとする。
【００４８】
その際に、センサレバー101の運動エネルギーが、振り子部材105の振動エネルギーへと変換される。これによりセンサレバー101がストッパ102ａから受ける反力も小さくなり、センサレバー101の振動が抑えられる。その結果、チャタリングを軽減し、チャタリングによる誤検知を防止することができる。
【実施例２】
【００４９】
次に、図４及び図５を用いて本発明に係るシート検知装置を備えた画像形成装置の第２実施形態の構成について説明する。尚、前記第１実施形態と同様に構成したものは同一の符号、或いは符号が異なっても同一の部材名を付して説明を省略する。
【００５０】
図４は本実施形態のシート検知装置200の構成を示す斜視説明図である。図５（ａ）〜（ｄ）は、図４の矢印Ｂ方向から見た断面説明図であり、シート検知装置200の検知動作を示す。図５（ａ）はシート検知装置200の待機状態を示し、図５（ｂ）はシート検知装置200をシートＳが通過する状態を示す。図５（ｃ）はシートＳが通過した後、シート検知装置200のセンサレバー201がホームポジション（待機位置）に戻った直後の状態を示す。図５（ｄ）は図５（ｃ）から一定時間が経過した後の状態を示す。
【００５１】
＜シート検知装置＞
先ず、図４を用いて本実施形態のシート検知装置200の構成について説明する。図４に示すように、本実施形態のシート検知装置200は、シートＳが当接して回動軸201ａを中心に回動するセンサレバー201を有する。更に、センサレバー201が設けられた回動軸201ａを回動可能に支持する支持部材202を有する。
【００５２】
更に、センサレバー201をシートＳが通過した後、復元力により該センサレバー201を図５（ａ）に示すホームポジションに復帰させる付勢手段となる捩りコイルバネ203を有する。更に、回動軸201ａに設けられ、該センサレバー201と一体的に回動する遮光フラグ201ｈにより光路が遮断、或いは遮断が開放されて該センサレバー201の回動を検知する検知手段となるフォトインタラプタ204を有する。
【００５３】
更に、シート検知装置200には、センサレバー201に一体的に設けられた一対のアーム部201ｆ，201ｇの先端部に両端部が接続されたガイド部となるガイド軸201ｂが設けられている。ガイド部となるガイド軸201ｂは、アーム部201ｆ，201ｇを介して回動軸201ａを中心にセンサレバー201と一体的に回動可能に設けられる。ガイド軸201ｂは、ドーナツ状の所定の重量を有する錘205の中央に設けられた貫通孔205ａ内に摺動自在に挿入されている。これにより錘205はガイド軸201ｂに沿って移動可能に支持される。本実施形態のセンサレバー201に設けられる動吸振器は、ガイド軸201ｂと錘205とにより構成される。
【００５４】
本実施形態では、図４及び図５に示すように、錘205が摺動自在に取り付けられたガイド軸201ｂが先端部に設けられた一対のアーム部201ｆ，201ｇの配置位置を考慮する。更に、センサレバー201の当接部201ｅが当接する支持部材202に設けられたストッパ202ａの配置位置を考慮する。これらの配置位置は、センサレバー201の回動軸201ａに沿った方向（図４の左右方向）において略一致した位置に配置される。
【００５５】
センサレバー201は、支持部材202に設けられた軸受部202ｂ，202ｃ，202ｄ，202ｅ等により回転可能に軸支された回動軸201ａを中心に該回動軸201ａと一体的に回動可能に支持されている。また、センサレバー201は、回動軸201ａの外周に摺動自在に嵌装された捩りコイルバネ203の付勢力によって図４の矢印＋Ｒ方向に付勢されている。
【００５６】
回動軸201ａの外周に摺動自在に嵌装された捩りコイルバネ203の一端部203ａは、センサレバー201の係止部201ｉに係止されており、該捩りコイルバネ203の他端部は、支持部材202に係止されている。
【００５７】
図５（ａ）に示すように、センサレバー201の当接部201ｅが支持部材202に設けられたストッパ202ａに当接することでセンサレバー201の回動軸201ａを中心とした図５（ａ）の矢印＋Ｒ方向の回動が規制される。これにより図５（ａ）に示すセンサレバー201のホームポジションを規定する。
【００５８】
遮光フラグ201ｈは回動軸201ａを中心に該回動軸201ａと一体的に回動可能に支持されている。図５（ｂ）に示すように、シートＳがセンサレバー201に当接して該センサレバー201を捩りコイルバネ203の付勢力に抗して回動軸201ａを中心に図５（ｂ）の矢印−Ｒ方向に回動させる。すると、該回動軸201ａと一体的に回動する遮光フラグ201ｈがフォトインタラプタ204の発光部204ａと受光部204ｂとの間の光路を遮光する。フォトインタラプタ204の検知結果が制御部２に伝送されてシートＳの進入が検知される。
【００５９】
センサレバー201に設けられた一対のアーム部201ｆ，201ｇの先端部はガイド軸201ｂにより接続されている。ドーナツ状の錘205の中心に設けられた貫通孔205ａ内に該ガイド軸201ｂが摺動自在に挿通されている。これにより錘205は、センサレバー201に設けられた一対のアーム部201ｆ，201ｇの先端部に接続されたガイド軸201ｂに沿って移動可能に支持される。これにより錘205は、センサレバー201の動吸振器として働く。
【００６０】
センサレバー201に設けられた一対のアーム部201ｆ，201ｇの先端部に接続されたガイド軸201ｂは以下の通りである。図５（ａ）に示すように、センサレバー201の回動軸201ａの回動中心201ａ１を中心とした仮想円Ｑの接線と略一致するように設けられている。
【００６１】
＜シート検知装置の検知動作＞
次に、図５（ａ）〜（ｄ）を用いて本実施形態のシート検知装置200の検知動作について説明する。図５（ａ）に示す待機状態において、捩りコイルバネ203の付勢力によりセンサレバー201は回動軸201ａを中心に図５（ａ）の矢印＋Ｒ方向に付勢される。センサレバー201は、該センサレバー201の当接部201ｅが支持部材202に設けられたストッパ202ａに当接して静止している。
【００６２】
このとき、ガイド軸201ｂに摺動自在に嵌装されたドーナツ状の錘205は、ガイド軸201ｂの下方に接続されたアーム部201ｇの外周面からなる規制面201ｃに当接して静止している。
【００６３】
図１のレジストローラ13、或いは、定着装置17の加圧ローラ17ａと定着ローラ17ｂとにより挟持されて搬送路１上を図４の矢印Ｘ方向にシートＳが搬送されて図５（ｂ）に示すように、該シートＳがセンサレバー201に当接する。すると、該センサレバー201は、捩りコイルバネ203の付勢力に抗して回動軸201ａを中心に図５（ｂ）の矢印−Ｒ方向に回動し始める。
【００６４】
このとき、図５（ｂ）に示すように、錘205は、自重によりガイド軸201ｂの下方に設けられた規制面201ｃに当接した状態を保ちながらセンサレバー201と一体的に動く。
【００６５】
センサレバー201が回動軸201ａを中心に図５（ｂ）の矢印−Ｒ方向に回動する。すると、回動軸201ａはセンサレバー201と一体的に回転し、該回動軸201ａに設けられた遮光フラグ201ｈも該回動軸201ａを介してセンサレバー201と一体的に該回動軸201ａを中心に図５（ｂ）の矢印−Ｒ方向に回動する。そして、遮光フラグ201ｈがフォトインタラプタ204の発光部204ａと受光部204ｂとの間の光路を遮断することで制御手段となる制御部２はシートＳが進入したことを検知する。
【００６６】
図５（ｃ）に示すように、シートＳがセンサレバー201を通過した後は、センサレバー201は、捩りコイルバネ203の付勢力により回動軸201ａを中心に図５（ｃ）の矢印＋Ｒ方向に回動する。
【００６７】
回動軸201ａはセンサレバー201と一体的に回転し、該回動軸201ａに設けられた遮光フラグ201ｈも該回動軸201ａを介してセンサレバー201と一体的に該回動軸201ａを中心に図５（ｃ）の矢印＋Ｒ方向に回動する。そして、遮光フラグ201ｈがフォトインタラプタ204の発光部204ａと受光部204ｂとの間の光路の遮断を開放することで制御手段となる制御部２はシートＳが通過したことを検知する。
【００６８】
図５（ｃ）に示すように、センサレバー201の当接部201ｅが支持部材202に設けられたストッパ202ａに衝突した後、錘205は、自重による慣性によりガイド軸201ｂに沿って図５（ｃ）の矢印＋Ｚ方向へと移動し始める。
【００６９】
その後、図５（ｄ）に示すように、センサレバー201のガイド軸201ｂの上方に接続されたアーム部201ｆの外周面からなる規制面201ｄに衝突する。これによりアーム部201ｆを介してセンサレバー201を回動軸201ａを中心に図５（ｄ）の矢印＋Ｒ方向に回動させようとする力が働く。
【００７０】
この力は、センサレバー201の当接部201ｅが支持部材202に設けられたストッパ202ａから受ける反発力を打ち消すように働く。このためセンサレバー201の跳ね返りを抑制できる。
【００７１】
錘205は、ガイド軸201ｂの上方に設けられたアーム部201ｆの外周面からなる規制面201ｄに衝突する。その後、衝突時の反力と重力とにより図５（ａ）の矢印−Ｚ方向へと移動する。そして、錘205は、ガイド軸201ｂの下方に設けられたアーム部201ｇの外周面からなる規制面201ｃに衝突する。
【００７２】
この際に、センサレバー201が回動軸201ａを中心に図５（ａ）の矢印−Ｒ方向に回動しないように捩りコイルバネ203の付勢力が設定されている。
【００７３】
これによりセンサレバー201の運動エネルギーが、ガイド軸201ｂに沿って移動する錘205の運動エネルギーへと変換される。これによりセンサレバー201がストッパ202ａから受ける反力も小さくなり、センサレバー201の振動が抑えられる。その結果、チャタリングを軽減し、チャタリングによる誤検知を防止することができる。
【００７４】
尚、本実施形態では、捩りコイルバネ203の付勢力によりセンサレバー201を回動軸201ａを中心に図５（ａ）の矢印＋Ｒ方向に付勢している。他に、該センサレバー201の自重により該センサレバー201を回動軸201ａを中心に図５（ａ）の矢印＋Ｒ方向に付勢することでも良い。他の構成は前記第１実施形態と同様に構成され、同様の効果を得ることが出来る。
【実施例３】
【００７５】
次に、図６を用いて本発明に係るシート検知装置を備えた画像形成装置の第３実施形態の構成について説明する。尚、前記各実施形態と同様に構成したものは同一の符号、或いは符号が異なっても同一の部材名を付して説明を省略する。
【００７６】
図６（ａ）は本実施形態のシート検知装置300の構成を示す斜視説明図である。図６（ｂ）は本実施形態のシート検知装置300を図６（ａ）の矢印Ｃ方向から見た断面説明図である。
【００７７】
＜シート検知装置＞
先ず、図６（ａ）を用いてシート検知装置300の構成について説明する。図６（ａ）に示すように、本実施形態のシート検知装置300は、シートＳが当接して回動軸301ａを中心に回動するセンサレバー301を有する。更に、センサレバー301が設けられた回動軸301ａを回動可能に支持する支持部材302を有する。
【００７８】
更に、センサレバー301をシートＳが通過した後、復元力により該センサレバー301をホームポジションに復帰させる付勢手段となる捩りコイルバネ303を有する。更に、回動軸301ａに設けられ、センサレバー301と一体的に回動する遮光フラグ301ｈにより光路が遮断、或いは遮断が開放されて該センサレバー301の回動を検知する検知手段となるフォトインタラプタ304等を有して構成される。
【００７９】
センサレバー301は、支持部材302に設けられた軸受部302ｂ，302ｃ，302ｄ，302ｅ等により回転可能に軸支された回動軸301ａを中心に該回動軸301ａと一体的に回動可能に支持されている。また、センサレバー301は、回動軸301ａの外周に摺動自在に嵌装された捩りコイルバネ303の付勢力によって図６（ａ）の矢印＋Ｒ方向に付勢されている。
【００８０】
回動軸301ａの外周に摺動自在に嵌装された捩りコイルバネ303の一端部303ａは、センサレバー301の係止部301ｉに係止されており、該捩りコイルバネ303の他端部は、支持部材302に係止されている。
【００８１】
センサレバー301は、図６（ｂ）に示すように、該センサレバー301の当接部301ｄが支持部材302に設けられたストッパ302ａに当接することで図６（ｂ）の矢印＋Ｒ方向の回動が規制される。これにより図６（ｂ）に示すセンサレバー301のホームポジションが規定される。
【００８２】
遮光フラグ301ｈは回動軸301ａを中心に該回動軸301ａと一体的に回動可能に支持されている。シートＳがセンサレバー301に当接して該センサレバー301を捩りコイルバネ303の付勢力に抗して回動軸301ａを中心に図６（ｂ）の矢印−Ｒ方向に回動させる。すると、該回動軸301ａと一体的に回動する遮光フラグ301ｈがフォトインタラプタ304の発光部304ａと受光部304ｂとの間の光路を遮光する。フォトインタラプタ304の検知結果は、制御部２に伝送されてシートＳの進入が検知される。
【００８３】
センサレバー301と一体的に回転する回動軸301ａには、弾性部材となるアーム部301ｃが設けられている。これによりアーム部301ｃはセンサレバー301と一体的に回動可能に設けられる。該アーム部301ｃの先端部には所定の重量を有する錘301ｂが支持されている。本実施形態では、センサレバー301に設けられる動吸振器は、弾性部材からなるアーム部301ｃと錘301ｂとにより構成される。
【００８４】
センサレバー301が設けられる回動軸301ａと一体的に回動するアーム部301ｃの先端部に錘301ｂを設ける。そして、該錘301ｂの自重による慣性力により該アーム部301ｃが弾性変形して該錘301ｂと該アーム部301ｃとが振動する。これによりアーム部301ｃと錘301ｂとがセンサレバー301の動吸振器として働く。
【００８５】
本実施形態では、図６（ａ）に示すように、先端部に錘301ｂが設けられた弾性部材からなるアーム部301ｃの配置位置を考慮する。更に、センサレバー301の当接部301ｄが当接する支持部材302に設けられたストッパ302ａの配置位置を考慮する。これらの配置位置は、センサレバー301の回動軸301ａに沿った方向（図６（ａ）の左右方向）において略一致した位置に配置される。
【００８６】
＜シート検知装置の検知動作＞
次に、図６（ｂ）を用いて本実施形態のシート検知装置300の検知動作について説明する。センサレバー301は、図６（ｂ）に示す待機状態において、捩りコイルバネ303の付勢力により回動軸301ａを中心に図６（ｂ）の矢印＋Ｒ方向に付勢される。そして、該センサレバー301の当接部301ｄが支持部材302に設けられたストッパ302ａに当接して静止している。
【００８７】
図６（ｂ）に示す待機状態において、弾性部材からなるアーム部301ｃの先端部に設けられた錘301ｂが振動してもセンサレバー301が静止するように捩りコイルバネ303はセンサレバー301に付勢力を与えている。
【００８８】
図１のレジストローラ13、或いは、定着装置17の加圧ローラ17ａと定着ローラ17ｂとにより挟持されて搬送路１上を図６（ａ）の矢印Ｘ方向にシートＳが搬送されて該シートＳがセンサレバー301に当接する。すると、センサレバー301は、捩りコイルバネ303の付勢力に抗して回動軸301ａを中心に図６（ａ）の矢印−Ｒ方向に回動する。
【００８９】
センサレバー301が回動軸301ａを中心に図６（ａ）の矢印−Ｒ方向に回動する。すると、回動軸301ａはセンサレバー301と一体的に回転し、該回動軸301ａに設けられた遮光フラグ301ｈも該回動軸301ａを介してセンサレバー301と一体的に該回動軸301ａを中心に図６（ａ）の矢印−Ｒ方向に回動する。そして、遮光フラグ301ｈがフォトインタラプタ304の発光部304ａと受光部304ｂとの間の光路を遮断することで制御手段となる制御部２はシートＳが進入したことを検知する。
【００９０】
シートＳがセンサレバー301を通過すると、捩りコイルバネ303の付勢力により回動軸301ａはセンサレバー301と一体的に図６（ａ）の矢印＋Ｒ方向に回動する。そして、該回動軸301ａに設けられた遮光フラグ301ｈも該回動軸301ａを介してセンサレバー301と一体的に該回動軸301ａを中心に図６（ａ）の矢印＋Ｒ方向に回動する。そして、遮光フラグ301ｈがフォトインタラプタ304の発光部304ａと受光部304ｂとの間の光路の遮断を開放することで制御手段となる制御部２はシートＳが通過したことを検知する。
【００９１】
そして、図６（ｂ）に示すように、センサレバー301の当接部301ｄが支持部材302に設けられたストッパ302ａに衝突する。その後、回動軸301ａを介してセンサレバー301と一体的に回動する弾性部材からなるアーム部301ｃの先端部に設けられた錘301ｂは、自重による慣性により図６（ｂ）の矢印＋Ｒ方向に振れる。
【００９２】
その後、錘301ｂと、弾性部材からなるアーム部301ｃとは、該アーム部301ｃが弾性変形することにより図６（ｂ）の矢印＋Ｒ，−Ｒ方向に一体的に交互に振動する。
【００９３】
センサレバー301の運動エネルギーが、錘301ｂとアーム部301ｃとの振動エネルギーへと変換される。これによりセンサレバー301がストッパ302ａから受ける反力も小さくなり、その結果、チャタリングを軽減することができる。
【００９４】
尚、本実施形態では、捩りコイルバネ303の付勢力によりセンサレバー301を回動軸301ａを中心に図６（ｂ）の矢印＋Ｒ方向に付勢した。他に、センサレバー301の自重により該センサレバー301を回動軸301ａを中心に図６（ｂ）の矢印＋Ｒ方向に付勢することでも良い。他の構成は前記各実施形態と同様に構成され、同様の効果を得ることが出来る。
【実施例４】
【００９５】
次に、図７を用いて本発明に係るシート検知装置を備えた画像形成装置の第４実施形態の構成について説明する。尚、前記各実施形態と同様に構成したものは同一の符号、或いは符号が異なっても同一の部材名を付して説明を省略する。図７（ａ）は本実施形態のシート検知装置400の構成を示す斜視説明図である。図７（ｂ）は本実施形態のシート検知装置400を図７（ａ）の矢印Ｄ方向から見た平面説明図である。
【００９６】
本実施形態において、前記第３実施形態のシート検知装置300と異なっている点は以下の通りである。シートＳが当接して回動軸401ａを中心に回動するセンサレバー401と、該回動軸401ａを介して該センサレバー401と一体的に回動可能に設けられた弾性部材となるアーム部401ｃとは、弾性を有する回動軸401ａに固定される。
【００９７】
更に、回動軸401ａに固定される弾性部材となるアーム部401ｃの固定位置は以下の通りである。センサレバー401の回動軸401ａに沿った方向（図７（ｂ）の左右方向で示す回動軸方向）において以下の通りである。該センサレバー401の当接部401ｄが支持部材402に設けられたストッパ402ａに当接する位置とは異なる位置に配置される。
【００９８】
本実施形態では、回動軸401ａと、センサレバー401と、アーム部401ｃと、錘401ｂとが合成樹脂等により一体成形されている。アーム部401ｃは回動軸401ａを介して該センサレバー401と一体的に回動可能に設けられた弾性部材として構成される。錘401ｂは該アーム部401ｃの先端部に支持されて所定の重量を有して構成される。
【００９９】
図６（ａ）に示す第３実施形態では、先端部に錘301ｂが設けられた弾性部材からなるアーム部301ｃの配置位置を考慮する。更に、センサレバー301の当接部301ｄが当接する支持部材302に設けられたストッパ302ａの配置位置を考慮する。そして、これらの配置位置は、センサレバー301の回動軸301ａに沿った方向（図６（ａ）の左右方向）において略一致した位置に配置される。
【０１００】
本実施形態では、図７（ａ），（ｂ）に示すように、先端部に錘401ｂが設けられた弾性部材からなるアーム部401ｃの配置位置を考慮する。更に、センサレバー401の当接部401ｄが当接する支持部材402に設けられたストッパ402ａの配置位置を考慮する。そして、これらの配置位置は、センサレバー401の回動軸401ａに沿った方向（図７（ａ），（ｂ）の左右方向）において所定の距離Ｌ３（Ｌ３＞０）だけ離れて配置されている。
【０１０１】
＜シート検知装置＞
先ず、図７（ａ）を用いて本実施形態のシート検知装置400の構成について説明する。図７（ａ）に示すように、本実施形態のシート検知装置400は、センサレバー401と、該センサレバー401を回動軸401ａを中心に回動可能に支持する支持部材402とを有する。
【０１０２】
更に、シート検知装置400は、センサレバー401をシートＳが通過した後、復元力により該センサレバー401を図７（ａ），（ｂ）に示すホームポジションに復帰させる付勢手段となる捩りコイルバネ403を有する。更に、回動軸401ａには、該回動軸401ａを中心にセンサレバー401と一体的に回動する遮光フラグ401ｈが設けられている。更に、該遮光フラグ401ｈにより光路が遮断、或いは、遮断が開放されて、該センサレバー401の回動を検知する検知手段となるフォトインタラプタ404等を有して構成される。
【０１０３】
センサレバー401は、支持部材402に設けられた軸受部402ｂ，402ｃ，402ｄ，402ｅ等により回転可能に軸支された回動軸401ａを中心に該回動軸401ａと一体的に回動可能に支持されている。
【０１０４】
また、センサレバー401は、回動軸401ａの外周に摺動自在に嵌装された捩りコイルバネ403の付勢力により該回動軸401ａを中心に図７（ａ）の矢印＋Ｒ方向に付勢されている。
【０１０５】
回動軸401ａの外周に摺動自在に嵌装された捩りコイルバネ403の一端部403ａは、センサレバー401の係止部401ｉに係止されており、該捩りコイルバネ403の他端部は、支持部材402に係止されている。
【０１０６】
センサレバー401は、該センサレバー401の当接部401ｄが支持部材402に設けられたストッパ402ａに当接することで回動軸401ａを中心とした図７（ａ）の矢印＋Ｒ方向の回動が規制される。これによりセンサレバー401の回動軸401ａを中心とした図７（ａ），（ｂ）に示すホームポジションを規定する。
【０１０７】
遮光フラグ401ｈは、回動軸401ａを中心に該回動軸401ａと一体的に回動可能に支持されている。シートＳがセンサレバー401に当接して該センサレバー401を捩りコイルバネ403の付勢力に抗して回動軸401ａを中心に図７（ａ）の矢印−Ｒ方向に回動させる。すると、該回動軸401ａと一体的に回動する遮光フラグ401ｈがフォトインタラプタ404の発光部404ａと受光部404ｂとの間の光路を遮光する。フォトインタラプタ404の検知結果は制御部２に伝送される。これによりシートＳの進入が検知される。
【０１０８】
センサレバー401と一体的に回転する回動軸401ａには、弾性部材からなるアーム部401ｃが設けられており。該アーム部401ｃの先端部には所定の重量を有する錘401ｂが設けられている。
【０１０９】
本実施形態において、先端部に錘401ｂが設けられた弾性部材からなるアーム部401ｃの配置位置を考慮する。更に、センサレバー401の当接部401ｄが当接する支持部材402に設けられたストッパ402ａの配置位置を考慮する。これらの配置位置は、センサレバー401の回動軸401ａに沿った方向（図７（ａ），（ｂ）の左右方向）に距離Ｌ３だけ離れて配置されている。
【０１１０】
本実施形態では、センサレバー401と一体的に回転する回動軸401ａに設けられた弾性部材からなるアーム部401ｃの先端部に所定の重量を有する錘401ｂが設けられる。これによりアーム部401ｃと錘401ｂとがセンサレバー401と一体的に回転する回動軸401ａに対して振動可能に取り付けられる。また、回動軸401ａは、弾性部材により構成されており、該回動軸401ａの周方向に捻じれ可能に構成されている。
【０１１１】
捩りコイルバネ403の付勢力（復元力）によりセンサレバー401を回動軸401ａを中心に図７（ａ）の矢印＋Ｒ方向に回動して該センサレバー401を図７（ａ），（ｂ）に示すホームポジションに復帰させる。その際に該センサレバー401の当接部401ｄが支持部材402に設けられたストッパ402ａに衝突する。その際の反動により生じる弾性部材からなるアーム部401ｃと、その先端部に設けられた錘401ｂの振動により弾性部材により構成された回動軸401ａが周方向に捻じれる。これによりアーム部401ｃと錘401ｂと回動軸401ａとがセンサレバー401の動吸振器として働く。
【０１１２】
＜シート検知装置の検知動作＞
次に、図７（ａ），（ｂ）を用いて本実施形態のシート検知装置400の検知動作について説明する。図１のレジストローラ13、或いは、定着装置17の加圧ローラ17ａと定着ローラ17ｂとにより挟持されて搬送路１上を図７（ａ）の矢印Ｘ方向にシートＳが搬送されて該シートＳがセンサレバー401に当接する。
【０１１３】
すると、センサレバー401は、捩りコイルバネ403の付勢力に抗して回動軸401ａを中心に図７（ａ）の矢印−Ｒ方向に回動する。回動軸401ａはセンサレバー401と一体的に回転し、該回動軸401ａに設けられた遮光フラグ401ｈも該回動軸401ａを介してセンサレバー401と一体的に該回動軸401ａを中心に図７（ａ）の矢印−Ｒ方向に回動する。そして、遮光フラグ401ｈがフォトインタラプタ404の発光部404ａと受光部404ｂとの間の光路を遮断することで制御手段となる制御部２はシートＳが進入したことを検知する。
【０１１４】
シートＳがセンサレバー401を通過した後は、該センサレバー401は、捩りコイルバネ403の付勢力により回動軸401ａを中心に図７（ａ）の矢印＋Ｒ方向に回動する。
【０１１５】
回動軸401ａはセンサレバー401と一体的に回転し、該回動軸401ａに設けられた遮光フラグ401ｈも該回動軸401ａを介してセンサレバー401と一体的に該回動軸401ａを中心に図７（ａ）の矢印＋Ｒ方向に回動する。そして、遮光フラグ401ｈがフォトインタラプタ404の発光部404ａと受光部404ｂとの間の光路の遮断を開放することで制御手段となる制御部２はシートＳが通過したことを検知する。
【０１１６】
図７（ｂ）に示すように、センサレバー401の当接部401ｄが支持部材402に設けられたストッパ402ａに衝突する。その後、該センサレバー401と一体的に回転する回動軸401ａに設けられた弾性部材からなるアーム部401ｃの先端部に設けられた錘401ｂは以下の通りである。自重による慣性により図７（ａ）の矢印＋Ｒ方向に振れる。
【０１１７】
その後、錘401ｂと、弾性部材からなるアーム部401ｃとは、一体的に図７（ａ）の矢印−Ｒ，＋Ｒ方向に交互に振動し、該アーム部401ｃが設けられた弾性部材からなる回動軸401ａは、該回動軸401ａの周方向（捩じれ方向）に振動する。
【０１１８】
このとき、センサレバー401の当接部401ｄが支持部材402に設けられたストッパ402ａに衝突する。そのときに発生する該センサレバー401の運動エネルギーが、回動軸401ａを介して錘401ｂとアーム部401ｃと回動軸401ａとの振動エネルギーに変換される。これによりセンサレバー401がストッパ402ａから受ける反力も小さくなり、チャタリングを軽減することができる。
【０１１９】
尚、本実施形態では、捩りコイルバネ403の付勢力によりセンサレバー401を回動軸401ａを中心に図７（ａ）の矢印＋Ｒ方向に付勢する構成とした。他に、センサレバー401の自重により該センサレバー401を回動軸401ａを中心に図７（ａ）の矢印＋Ｒ方向に付勢する構成としても良い。他の構成は前記各実施形態と同様に構成され、同様の効果を得ることが出来る。
【実施例５】
【０１２０】
次に、図８を用いて本発明に係るシート検知装置を備えた画像読取装置の構成について説明する。尚、前記各実施形態と同様に構成したものは同一の符号、或いは符号が異なっても同一の部材名を付して説明を省略する。図８は本発明に係るシート検知装置を備えた画像読取装置の構成を示す断面説明図である。
【０１２１】
図８に示す画像読取装置90は、原稿となるシートＳを収納する原稿トレイ70を備えている。原稿トレイ70に収納されたシートＳは、給送ローラ50と、分離ローラ51とにより一枚ずつ分離して給送される。給送ローラ50と分離ローラ51との分離ニップ部の近傍下流側には、前記第１〜第４実施形態と同様に構成されるシート検知装置100，200，300，400のうちの何れかが配置されている。
【０１２２】
給送ローラ50と、分離ローラ51とにより一枚ずつ分離して給送されたシートＳは、シート検知装置100（200，300，400）により検知される。その後、搬送ローラ52により搬送されてシートＳに形成された原稿画像を読み取る画像読取手段となる画像読取部60によりシートＳ上の原稿画像を読み取る。その後、シートＳは、排出ローラ53により排出トレイ80上に排出される。
【０１２３】
画像読取装置90の搬送路３上に設けられたシート検知装置100（200，300，400）によりシートＳの通過タイミングが検知される。そして、前記各実施形態と同様にシート検知装置100（200，300，400）のチャタリングを低減することができる。他の構成は前記各実施形態と同様に構成され、同様の効果を得ることが出来る。
【符号の説明】
【０１２４】
Ｓ…シート
100…シート検知装置
101…センサレバー
102…支持部材
102ａ…ストッパ
104…フォトインタラプタ（検知手段）
105…振り子部材（動吸振器）
【図１】
2017007793.tif 000003
【図２】
2017007793.tif 000004
【図３】
2017007793.tif 000005
【図４】
2017007793.tif 000006
【図５】
2017007793.tif 000007
【図６】
2017007793.tif 000008
【図７】
2017007793.tif 000009
【図８】
2017007793.tif 000010